(57)【要約】【課題】表示装置の音量設定値が０（ゼロ：消音状態）に設定されている場合でも、視覚に障害があるユーザにガイダンス情報の内容を確実に通知することが可能な表示装置を提供する。【解決手段】この表示装置１００は、表示部２と、ガイダンス情報を有するガイダンス音声と、映像に関連する報を有する非ガイダンス音声とを出力する出力部４と、音量設定を行う設定部５１と、ガイダンス音声および非ガイダンス音声の出力レベルを制御する音声出力処理部１４とを備える。そして、音声出力処理部１４は、ガイダンス音声の出力レベルを非ガイダンス音声の出力レベル以上の値とし、かつ、非ガイダンス音声の出力レベルが０のときガイダンス音声の出力レベルを０よりも大きい値にする。【選択図】図１
2017212729.tif 000002
【特許請求の範囲】
【請求項１】
表示部と、
ガイダンス情報を有する第１信号と、映像に関連する音声情報を有する第２信号とを出力する出力部と、
音量設定を行う設定部と、
前記第１信号および前記第２信号の各々の出力レベルを制御する制御部と、を備え、
前記制御部は、前記第１信号の出力レベルを前記第２信号の出力レベル以上の値とし、かつ、前記第２信号の出力レベルが０のとき前記第１信号の出力レベルを０よりも大きい値にする、表示装置。
【請求項２】
音量設定値の所定の変化に基づく、前記第１信号の出力レベルの変化量は、前記第２信号の出力レベルの変化量以下の値である、請求項１に記載の表示装置。
【請求項３】
前記第１信号および前記第２信号の波形の傾きａ、ｂは、ａ≦ｂの関係を有する、請求項１または２に記載の表示装置。
【請求項４】
前記波形は、前記出力レベルと前記音量設定値との特性を示す波形である、請求項３に記載の表示装置。
【請求項５】
所定の音量設定値に基づく前記第１信号の出力レベルと前記第２信号の出力レベルとの差は、前記所定の音量設定値よりも大きい音量設定値に基づく前記第１信号の出力レベルと前記第２信号の出力レベルとの差よりも大きい、請求項１または２に記載の表示装置。
【請求項６】
第１の音量設定値から前記第１の音量設定値よりも大きい第２の音量設定値の範囲において、所定の音量設定値に基づく前記第１信号の出力レベルと前記第２信号の出力レベルとの差と、前記所定の音量設定値とは異なる音量設定値に基づく前記第１信号の出力レベルと前記第２信号の出力レベルとの差とは、略等しい値である、請求項１に記載の表示装置。
【請求項７】
前記第２の音量設定値よりも大きい音量設定値の範囲において、前記第１信号の出力レベルは、所定の範囲内の値である、請求項６に記載の表示装置。
【請求項８】
前記第１の音量設定値以下の音量設定値の範囲において、前記第１信号の出力レベルは所定の範囲内の値である、請求項６に記載の表示装置。
【請求項９】
前記第１の音量設定値は、音量設定可能な範囲の中間点における音量設定値である、請求項８に記載の表示装置。
【請求項１０】
前記第１の音量設定値から前記第１の音量設定値よりも大きい前記第２の音量設定値の範囲において、前記所定の音量設定値における前記第１信号の出力レベルと前記第２信号の出力レベルとは、略等しい値である、請求項６に記載の表示装置。
【請求項１１】
前記第１の音量設定値から前記第１の音量設定値よりも大きい前記第２の音量設定値の範囲において、前記所定の音量設定値における前記第１信号の出力レベルと前記第２信号の出力レベルとは異なる値である、請求項６に記載の表示装置。
【請求項１２】
前記第１信号の出力レベルは所定の範囲内の値である、請求項１に記載の表示装置。
【請求項１３】
前記設定部の音量設定可能な範囲は、前記第１信号の出力レベルの値が前記第２信号の出力レベルの値以上となる範囲に設定されている、請求項１２に記載の表示装置。
【請求項１４】
前記設定部の音量設定に対応した音量設定値に対して、前記第１信号および前記第２信号の出力レベルがそれぞれ対応付けられたテーブルをさらに備え、
前記制御部は、前記テーブルに基づき前記第１信号および前記第２信号の出力レベルを制御する、請求項１〜１３のいずれか１項に記載の表示装置。
【請求項１５】
前記テーブルは、音量設定値に対し、前記第１信号の所定の出力レベルが対応付けられた第１テーブルと、前記第１信号の所定の出力レベルとは異なる出力レベルが対応付けられた第２テーブルとを含み、
前記制御部は、前記第１テーブルまたは前記第２テーブルのいずれか一方に基づいて、前記第１信号の出力レベルを制御する、請求項１４に記載の表示装置。
【請求項１６】
前記制御部は、音量設定値の変更に伴い、前記第１信号と前記第２信号との両方の出力レベルの値を変更する制御を行う、請求項１〜１５のいずれか１項に記載の表示装置。
【請求項１７】
前記第１信号は、表示装置に対して行われた操作に関する情報、および、表示装置の状態に関する情報を通知する音声である、請求項１〜１６のいずれか１項に記載の表示装置。
【請求項１８】
前記第２信号は、前記表示部に表示される映像に関連する音声である、請求項１〜１７のいずれか１項に記載の表示装置。
【請求項１９】
放送信号を受信する受信部をさらに備え、
前記第２信号は、前記受信部からの音声に対応している、請求項１〜１８のいずれか１項に記載の表示装置。
【請求項２０】
コンテンツ再生装置に接続する接続部をさらに備え、
前記第２信号は、前記接続部から入力された音声に対応している、請求項１〜１９のいずれか１項に記載の表示装置。
【発明の詳細な説明】
【技術分野】
【０００１】
この発明は、表示装置に関し、特に、ガイダンス情報を有する第１信号と、映像に関連する音声情報を有する第２信号とを出力する出力部を備えた表示装置に関する。
【背景技術】
【０００２】
従来、ガイダンス情報を有するす第１信号と、映像に関連する音声情報を有する第２信号とを出力可能なガイダンス装置が知られている（たとえば、特許文献１参照）。
【０００３】
上記特許文献１には、表示部と、ガイダンス音声（ガイダンス情報を有する第１信号）と、ガイダンス音声以外の非ガイダンス音声（映像に関連する音声情報を有する第２信号）とを出力する出力部と、非ガイダンス音声の音量出力値に対応した音量出力値で、ガイダンス音声を出力させる制御を行う制御部とを備えたガイダンス装置（表示装置）が開示されている。また、ガイダンス音声の音量出力値は、ガイダンス装置の音量設定値に基づいて決定されるように構成されている。
【先行技術文献】
【特許文献】
【０００４】
【特許文献１】特開２００８−１７０９８０号公報
【発明の概要】
【発明が解決しようとする課題】
【０００５】
しかしながら、上記特許文献１に記載されたガイダンス装置では、ガイダンス装置の音量設定値がたとえば０（ゼロ：消音状態）に設定されている場合には、非ガイダンス音声の音量出力値のみならずガイダンス音声の音量出力値０（ゼロ）に設定されてしまう。このため、ガイダンス装置の音量設定値が０（ゼロ）に設定されている場合には、ガイダンス音声（ガイダンス情報）が発せられない（出力されない）ので、視覚に障害があるユーザに、ガイダンス音声（ガイダンス情報）の内容を通知することができないという問題点がある。
【０００６】
この発明は、上記のような課題を解決するためになされたものであり、この発明の１つの目的は、表示装置の音量設定値が０（ゼロ：消音状態）に設定されている場合でも、視覚に障害があるユーザにガイダンス情報の内容を確実に通知することが可能な表示装置を提供することである。
【課題を解決するための手段】
【０００７】
この発明の一の局面による表示装置は、表示部と、ガイダンス情報を有する第１信号と、映像に関連する音声情報を有する第２信号とを出力する出力部と、音量設定を行う設定部と、第１信号および第２信号の各々の出力レベルを制御する制御部と、を備え、制御部は、第１信号の出力レベルを第２信号の出力レベル以上の値とし、かつ、第２信号の出力レベルが０のとき第１信号の出力レベルを０よりも大きい値にする。
【０００８】
この発明の一の局面による表示装置では、上記のように、ガイダンス情報を有する第１信号の出力レベルを映像に関連する音声情報を有する第２信号の出力レベル以上の値とし、かつ、第２信号の出力レベルが０のとき第１信号の出力レベルを０よりも大きい値にする制御部を設ける。これにより、表示装置の音量設定値が０（ゼロ）に設定されている場合でも、０（ゼロ）よりも大きい音量のガイダンス情報を有する第１信号を出力することができる。また、第２信号の出力レベルが０以外の値の場合にも第１信号の出力レベルが第２信号の出力レベル以上の値となるので、第２信号に加えて第１信号を出力することができる。これらの結果、表示装置の音量設定値が０（ゼロ：消音状態）に設定されている場合でも、ガイダンス情報を有する第１信号により、視覚に障害があるユーザにガイダンス情報の内容を確実に通知することができる。
【０００９】
上記一の局面による表示装置において、好ましくは、音量設定値の所定の変化に基づく、第１信号の出力レベルの変化量は、第２信号の出力レベルの変化量以下の値である。このように構成すれば、音量設定値の増加（または減少）に伴う第２信号の出力レベルの増加量（または減少量）よりも、第１信号の出力レベルの増加量（または減少量）を抑制することができるので、音量設定値の増加（または減少）に伴う第１信号の急激な出力レベルの変化が回避される分、視覚に障害があるユーザは、映像に関連する音声情報（第２信号）を聞き取ることに支障のない程度で、ガイダンス情報（第１信号）を同時に聞き取ることができる。
【００１０】
上記一の局面による表示装置において、好ましくは、第１信号および第２信号の波形の傾きａ、ｂは、ａ≦ｂの関係を有する。このように構成すれば、傾きａ≦傾きｂであることによって、音量設定値の増加（または減少）に伴う第２信号の出力レベルの増加量（または減少量）よりも、第１信号の出力レベルの増加量（または減少量）を確実に抑制することができる。したがって、音量設定値の増加（または減少）に関係なく、視覚に障害があるユーザは、映像に関連する音声情報（第２信号）を聞き取ることに支障のない程度で、ガイダンス情報（第１信号）を確実に聞き取ることができる。
【００１１】
この場合、好ましくは、上記波形は、出力レベルと音量設定値との特性を示す波形である。
【００１２】
上記一の局面による表示装置において、好ましくは、所定の音量設定値に基づく第１信号の出力レベルと第２信号の出力レベルとの差は、この所定の音量設定値よりも大きい音量設定値に基づく第１信号の出力レベルと第２信号の出力レベルとの差よりも大きい。このように構成すれば、音量設定値が大きくなるのに伴って、第１信号の出力レベルと第２信号の出力レベルとの差が縮小されるので、ガイダンス情報（第１信号）の出力レベルの値が大きくなり過ぎるのを抑制するとともに、視覚に障害があるユーザに対して適切な出力レベルの値でガイダンス情報を出力することができる。
【００１３】
上記一の局面による表示装置において、好ましくは、第１の音量設定値から第１の音量設定値よりも大きい第２の音量設定値の範囲において、所定の音量設定値に基づく第１信号の出力レベルと第２信号の出力レベルとの差と、この所定の音量設定値とは異なる音量設定値に基づく第１信号の出力レベルと第２信号の出力レベルとの差とは、略等しい値である。このように構成すれば、音量設定値を変更した場合でも、第２信号の出力レベルの値に対して所定の音量分（一定値の音量）だけ大きい出力レベルの値で、第１信号を出力することができる。したがって、視覚に障害があるユーザは、音量設定値を変更した場合でも、容易に第１信号を聞き取ることができる。
【００１４】
上記所定の音量設定値に基づく第１信号の出力レベルと第２信号の出力レベルとの差と、この所定の音量設定値とは異なる音量設定値に基づく第１信号の出力レベルと第２信号の出力レベルとの差とが略等しい値である構成において、好ましくは、第２の音量設定値よりも大きい音量設定値の範囲において、第１信号の出力レベルは、所定の範囲内の値である。このように構成すれば、第１信号の出力レベルを第２の音量設定値よりも大きい音量設定値にした場合であっても、第１信号の出力レベルが最大の値または最大近傍の値（所定の範囲内）に維持されるので、第１信号の出力レベルを最大にする音量設定値以上の音量設定値の範囲においては、ガイダンス情報を有する第１信号が障害となって映像に関連する音声情報を示す第２信号が聞きづらくなるのを回避することができる。
【００１５】
上記所定の音量設定値に基づく第１信号の出力レベルと第２信号の出力レベルとの差と、この所定の音量設定値とは異なる音量設定値に基づく第１信号の出力レベルと第２信号の出力レベルとの差とが略等しい値である構成において、好ましくは、第１の音量設定値以下の音量設定値の範囲において、第１信号の出力レベルは所定の範囲内の値である。このように構成すれば、音量設定値が小さくなるにしたがって第１信号の出力レベルが同じように小さくされてしまう場合と異なり、音量設定値が小さくされても、視覚に障害があるユーザは出力レベルが所定の範囲内に維持された第１信号を適切に聞き取ることができる。
【００１６】
この場合、好ましくは、第１の音量設定値は、音量設定可能な範囲の中間点における音量設定値である。このように構成すれば、音量設定可能な範囲のうちの中間点以下の範囲において、音量設定値が小さくされても第１信号の出力レベルを所定の範囲内に維持することができるので、視覚に障害があるユーザは出力レベルが所定の範囲内に維持された第１信号を容易に聞き取ることができる。また、中間点よりも音量設定値が大きい範囲では、ユーザは、ガイダンス情報を有する第１信号および映像に関連する音声情報を有する第２信号の両方を適切に聞き取ることができる。
【００１７】
上記所定の音量設定値に基づく第１信号の出力レベルと第２信号の出力レベルとの差と、この所定の音量設定値とは異なる音量設定値に基づく第１信号の出力レベルと第２信号の出力レベルとの差とが略等しい値である構成において、好ましくは、第１の音量設定値から第１の音量設定値よりも大きい第２の音量設定値の範囲において、所定の音量設定値における第１信号の出力レベルと第２信号の出力レベルとは、略等しい値である。このように構成すれば、第１の音量設定値から第２の音量設定値以下の範囲において、ガイダンス情報を有する第１信号の出力レベルの値が大きくなり過ぎるのを抑制しつつ、適切な出力レベルの値でこの第１信号を出力することができる。
【００１８】
上記所定の音量設定値に基づく第１信号の出力レベルと第２信号の出力レベルとの差と、この所定の音量設定値とは異なる音量設定値に基づく第１信号の出力レベルと第２信号の出力レベルとの差とが略等しい値である構成において、好ましくは、第１の音量設定値から第１の音量設定値よりも大きい第２の音量設定値の範囲において、所定の音量設定値における第１信号の出力レベルと第２信号の出力レベルとは異なる値である。このように構成すれば、音量設定値を変更した場合でも、第２信号の出力レベルの値に対して所定の出力レベル分（音量分）だけ大きい出力レベルの値で、第１信号を出力することができるので、視覚に障害があるユーザは、容易に第１信号を聞き取ることができる。
【００１９】
上記一の局面による表示装置において、好ましくは、第１信号の出力レベルは所定の範囲内の値である。このように構成すれば、第１信号の出力レベルを適切な値に設定しておけば、どのような音量設定値においても、十分に聞き取ることが可能な均一の音量で、視覚に障害があるユーザはガイダンス情報を有する第１信号を聞き取ることができる。
【００２０】
この場合、好ましくは、設定部の音量設定可能な範囲は、第１信号の出力レベルの値が第２信号の出力レベルの値以上となる範囲に設定されている。このように構成すれば、設定部の音量設定可能な範囲内におけるどのような音量設定値にされていても、第１信号の出力レベルの値を第２信号の出力レベルの値以上に設定することができるので、視覚に障害があるユーザは、映像に関連する音声情報を有する第２信号が出力されている間中、ガイダンス情報を有する第１信号を確実に聞き取ることができる。
【００２１】
上記一の局面による表示装置において、好ましくは、設定部の音量設定に対応した音量設定値に対して、第１信号および第２信号の出力レベルがそれぞれ対応付けられたテーブルをさらに備え、制御部は、テーブルに基づき第１信号および第２信号の出力レベルを制御する。このように構成すれば、表示装置における第２信号の出力レベルが０（ゼロ）に設定されている場合でも、第１信号の出力レベルを０（ゼロ）にしないようにする演算を毎回行う場合と異なり、テーブルを用いて、迅速に第１信号の出力レベルを０（ゼロ）にしないようにすることができるとともに、制御部の演算による負荷が増大するのを抑制することができる。また、表示装置における第２信号の出力レベルが０（ゼロ）以外に設定されている場合でも、テーブルを用いて、迅速に第１信号の出力レベルを第２信号の出力レベル以上に保持することができる。
【００２２】
この場合、好ましくは、テーブルは、音量設定値に対し、第１信号の所定の出力レベルが対応付けられた第１テーブルと、第１信号の所定の出力レベルとは異なる出力レベルが対応付けられた第２テーブルとを含み、制御部は、第１テーブルまたは第２テーブルのいずれか一方に基づいて、第１信号の出力レベルを制御する。このように構成すれば、第１テーブルと第２テーブルとを適宜切り替えることによって、第１信号の出力レベルを、第１信号の内容に応じてより適した出力レベル（出力音量値）にすることができる。たとえば、通知しなければ視覚障害のあるユーザの利便性を低下させるような通知を行う場合（チャンネル変更操作に関する情報をガイダンス情報として出力する場合）にも、確実にガイダンス情報（第１信号）を通知することができる。
【００２３】
上記一の局面による表示装置において、好ましくは、制御部は、音量設定値の変更に伴い、第１信号と第２信号との両方の出力レベルの値を変更する制御を行う。このように構成すれば、音量設定値に併せて、第１信号および第２信号の両方を使用状況に適した出力レベルの値にそれぞれ変更することができる。
【００２４】
上記一の局面による表示装置において、好ましくは、第１信号は、表示装置に対して行われた操作に関する情報、および、表示装置の状態に関する情報を通知する音声である。このように構成すれば、視覚に障害があるユーザに、表示装置に対して行われる操作に関する情報、および、表示装置の状態に関する情報を通知することができる。
【００２５】
上記一の局面による表示装置において、好ましくは、第２信号は、表示部に表示される映像に関連する音声である。このように構成すれば、表示部に表示される映像に関連する音声が第１音量である（出力されない）設定の場合でも、第１信号を出力することができる。
【００２６】
上記一の局面による表示装置において、好ましくは、放送信号を受信する受信部をさらに備え、第２信号は、受信部からの音声に対応している。このように構成すれば、放送信号に含まれる第２信号を出力する音量設定値が第１音量に設定されている場合でも、第１信号をユーザが視聴可能に容易に出力することができる。
【００２７】
上記一の局面による表示装置において、好ましくは、コンテンツ再生装置に接続する接続部をさらに備え、第２信号は、接続部から入力された音声に対応している。このように構成すれば、コンテンツ再生装置からコンテンツに含まれる第２信号を出力する音量設定値が第１音量に設定されている場合でも、第１信号をユーザが視聴可能に容易に出力することができる。
【発明の効果】
【００２８】
本発明によれば、上記のように、表示装置の音量設定値が０（ゼロ：消音状態）に設定されている場合でも、視覚に障害があるユーザにガイダンス情報の内容を確実に通知することができる。
【図面の簡単な説明】
【００２９】
【図１】本発明の第１実施形態による表示装置を示したブロック図である。
【図２】本発明の第１実施形態による表示装置における音量設定値とガイダンス音声および非ガイダンス音声の出力音量値との対応関係を示したテーブルである。
【図３】本発明の第２実施形態による表示装置における音量設定値とガイダンス音声および非ガイダンス音声の出力音量値との対応関係を示したテーブルである。
【図４】本発明の第３実施形態による表示装置における音量設定値とガイダンス音声および非ガイダンス音声の出力音量値との対応関係を示したテーブルである。
【図５】本発明の第４実施形態による表示装置における音量設定値とガイダンス音声および非ガイダンス音声の出力音量値との対応関係を示したテーブルである。
【図６】本発明の第４実施形態の第１変形例による表示装置における音量設定値とガイダンス音声および非ガイダンス音声の出力音量値との対応関係を示したテーブルである。
【図７】本発明の第４実施形態の第２変形例による表示装置における音量設定値とガイダンス音声および非ガイダンス音声の出力音量値との対応関係を示したテーブルである。
【図８】本発明の変形例による表示装置における音量設定値とガイダンス音声および非ガイダンス音声の出力音量値との対応関係（テーブル）を視覚的に示したグラフである。
【発明を実施するための形態】
【００３０】
以下、本発明の実施形態を図面に基づいて説明する。
【００３１】
［第１実施形態］
（表示装置の全体構成）
まず、図１および図２を参照して、本発明の第１実施形態による表示装置１００の構成について説明する。
【００３２】
図１に示すように、表示装置１００は、リモコン５０により操作可能なテレビジョン装置である。リモコン５０の設定部５１により、表示装置１００に対して、音量設定値の変更操作が行うことが可能である。リモコン５０の各種設定部５２により、表示装置１００に対して、各種操作（たとえばチャンネル変更操作）が行うことが可能である。表示装置１００は、たとえば、リモコン５０を用いて表示装置１００に対して行われた操作に関する情報、および、表示装置１００の状態に関する情報を通知する音声などの「ガイダンス音声」を出力することが可能である。また、表示装置１００は、ガイダンス音声とは異なる「非ガイダンス音声」を出力することが可能に構成されている。第１実施形態において、非ガイダンス音声とは、たとえば、表示部２に表示される映像に関連する音声である。なお、上記したガイダンス音声および非ガイダンス音声は、それぞれ、特許請求の範囲の「ガイダンス情報を有する第１信号」および「映像に関連する音声情報を有する第２信号」の一例である。
【００３３】
表示装置１００は、ＳｏＣ（ｓｙｓｔｅｍ  ｏｎ  ｃｈｉｐ）１を備える。ＳｏＣ１は、表示装置１００の全体の制御を行うように構成されている。ＳｏＣ１の詳細は、後述する。また、表示装置１００は、映像を表示する表示部２を備える。表示部２は、たとえば、液晶ディスプレイ（ＬＣＤ；ｌｉｑｕｉｄ  ｃｒｙｓｔａｌ  ｄｉｓｐｌａｙ）である。また、表示装置１００は、音声信号を増幅するアンプ３をさらに備える。
【００３４】
また、表示装置１００は、アンプ３により増幅された音声信号を出力する出力部４を備える。出力部４は、アンプ３とスピーカ９との間に配置されている。また、出力部４は、ガイダンス音声と、非ガイダンス音声とを出力するように構成されている。表示装置１００は、リモコン５０の設定部５１により設定された音量設定値に対応する出力音量値のもとで、ガイダンス音声および非ガイダンス音声を出力するように構成されている。なお、出力音量値は、特許請求の範囲の「出力レベル」の一例である。
【００３５】
また、表示装置１００は、リモコン信号受信部５を備える。リモコン信号受信部５は、リモコン５０から発せられた信号（リモコン通信信号）を受信するように構成されている。また、表示装置１００は、放送信号を受信する受信部（チューナ）６を備える。また、表示装置１００は、接続部７を備える。接続部７は、たとえば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）規格に準拠した端子である。そして、接続部７を介して接続された外部のコンテンツ再生装置（図示せず）から伝送されたＨＤＭＩ（登録商標）規格に準拠した音声・映像信号を受信するように構成されている。
【００３６】
また、表示装置１００は、接続部８をさらに備える。接続部８は、たとえば、Ｖｉｄｅｏ入力端子である。接続部８は、接続部８を介して外部のコンテンツ再生装置（図示せず）から伝送されたＶｉｄｅｏ信号を受信するように構成されている。Ｖｉｄｅｏ信号は音声信号および映像信号を含んでいる。
【００３７】
（ＳｏＣの詳細な構成）
ＳｏＣ１は、各種処理部（ＣＰＵ）を含んでいる。より具体的には、ＳｏＣ１は、映像信号処理部１１を備える。映像信号処理部１１は、ＣＰＵを含み、受信部６により受信された放送信号に含まれる映像データを処理し、表示部２に出力する機能を有する。また、映像信号処理部１１は、接続部７または８を介して受信したＨＤＭＩ（登録商標）規格に準拠した映像データまたはＶｉｄｅｏ信号の映像データを処理し、表示部２に出力する機能を有する。
【００３８】
また、ＳｏＣ１は、音声信号処理部１２を備える。音声信号処理部１２は、ＣＰＵを含み、受信部６により受信された放送信号に含まれる音声データを処理し、音声出力処理部１４に出力する機能を有する。また、音声信号処理部１２は、接続部７または８を介して受信したＨＤＭＩ（登録商標）規格に準拠した音声データまたはＶｉｄｅｏ信号の音声データを処理し、音声出力処理部１４に出力する機能を有する。また、ＳｏＣ１は、リモコン受信信号処理部１３を備える。リモコン受信信号処理部１３は、ＣＰＵを含み、リモコン信号受信部５により受信されたリモコン５０からの信号を処理する機能を有する。
【００３９】
また、ＳｏＣ１は、音声出力処理部１４を備える。音声出力処理部１４は、ＣＰＵを含み、音声出力に関する制御処理を行うように構成されている。音声出力処理部１４により処理された信号に基づいて、出力部４から音声信号が出力される。また、音声出力処理部１４は、記憶領域（記憶部）１４０を有する。記憶領域１４０には、出力音量値テーブルＴ１が記憶されている。図２に示すように、出力音量値テーブルＴ１は、音量設定値に対して、非ガイダンス音声の出力音量値およびガイダンス音声の出力音量値がそれぞれ対応付けられたテーブルである。図２中の下部のグラフは、出力音量値テーブルＴ１に示された数値を、横軸に音量設定値、縦軸を出力音量値として、プロットしたものである。なお、図２のグラフにおいて、実線は音量設定値に対するガイダンス音声の出力音量値を示し、破線は、音量設定値に対する非ガイダンス音声の出力音量値を示している。なお、出力音量値テーブルＴ１は、特許請求の範囲の「テーブル」の一例である。
【００４０】
また、音声出力処理部１４は、音声信号処理部１２により処理された非ガイダンス音声と、後述するガイダンス音声処理部１５により生成されたガイダンス音声とを、出力音量値テーブルＴ１に基づいて出力するように構成されている。また、図１に示すように、ＳｏＣ１は、ガイダンス音声処理部１５を備える。ガイダンス音声処理部１５は、ガイダンス音声を生成させるように構成されている。なお、音声出力処理部１４は、特許請求の範囲の「制御部」の一例である。
【００４１】
そして、第１実施形態では、図２に示すように、音声出力処理部１４（図１参照）は、リモコン５０の設定部５１（図１参照）により、非ガイダンス音声の音量設定値が「０（消音状態）」（以降、０レベルという）に設定された場合に、この０レベルよりも大きい出力音量値で出力部４からガイダンス音声を出力する制御を行うように構成されている。この場合、音声出力処理部１４は、音量設定値に対して、非ガイダンス音声の出力音量値およびガイダンス音声の出力音量値がそれぞれ対応付けられた出力音量値テーブルＴ１に基づいて、０レベル（消音状態）よりも大きい出力音量値でガイダンス音声を出力する制御を行う。つまり、音声出力処理部１４は、各音量設定値に対して、ガイダンス音声の出力音量値が０レベルにならないように設定された出力音量値テーブルＴ１を用いた音声出力制御を行うように構成されている。また、音量設定値が増加するにしたがって、ガイダンス音声の出力音量値が増加されるように構成されている。したがって、視覚に障害があるユーザにとっては、非ガイダンス音声を聞きつつ、ガイダンス音声についても容易に聞き取ることが可能に構成されている。
【００４２】
また、第１実施形態では、音声出力処理部１４は、非ガイダンス音声の音量が０レベル以外のときに、ガイダンス音声の音量を非ガイダンス音声の音量以上とする制御を行う。詳細には、非ガイダンス音声の音量設定値が変更可能な０レベル（最小値）以上９９レベル以下の範囲において、０レベルよりも大きい出力音量値でガイダンス音声が出力されるとともに、非ガイダンス音声の音量設定値がその上限となる１００レベル（最大値）では、非ガイダンス音声の音量とガイダンス音声の音量とが略等しくなるように構成されている。すなわち、音声出力処理部１４は、ガイダンス音声が出力される場合には、常に０レベルよりも大きい出力音量値で、このガイダンス音声を出力するような制御を行う。したがって、出力音量値テーブルＴ１には、音量設定値が０レベル（最小値）以上９９以下では、ガイダンス音声の出力音量値が非ガイダンス音声の出力音量値よりも大きく、音量設定値が「１００」（最大値）では、ガイダンス音声の出力音量値が非ガイダンス音声の出力音量値と等しくなるように、音声出力処理部１４による音声出力制御を行うことが予め規定されている。
【００４３】
また、第１実施形態では、所定の音量設定値とこの所定の音量設定値と異なる音量設定値に基づくガイダンス音声の各々の出力音量値の差は、所定の音量設定値とこの所定の音量設定値と異なる音量設定値に基づく非ガイダンス音声の各々の出力音量値の差よりも小さい。具体例には、図２中のグラフにおいて、ガイダンス音声の出力音量値および非ガイダンス音声の出力音量値は、音量設定値（横軸）の増加（減少）に伴って略直線的に増加（減少）するように出力音量値テーブルＴ１は構成されている。そして、たとえば、音量設定値Ｖ１におけるガイダンス音声の出力音量値と、この音量設定値Ｖ１よりも大きい音量設定値Ｖ２におけるガイダンス音声の出力音量値の差分（音量設定値Ｖ１およびＶ２間の実線で示された直線状のグラフ（波形）の傾きａ：変化率ａ）が、同じ音量設定値Ｖ１からＶ２への変化における非ガイダンス音声の出力音量値の差分（音量設定値Ｖ１およびＶ２間の破線で示された直線状のグラフ（波形）の傾きｂ：変化率ｂ）よりも小さくなる（ａ＜ｂである）ように構成されている。したがって、音量設定値の増加（または減少）に伴う非ガイダンス音声の出力音量値の増加量（または減少量）よりも、ガイダンス音声の出力音量値の増加量（または減少量）が抑制されている。なお、図２中の実線で示されるグラフは、ガイダンス音声の出力音量値と音量設定値との特性を示す波形であり、図２中の破線で示されるグラフは、非ガイダンス音声の出力音量値と音量設定値との特性を示す波形である。
【００４４】
また、所定の音量設定値に基づくガイダンス音声の出力音量値と非ガイダンス音声の出力音量値との差は、この所定の音量設定値よりも大きい音量設定値に基づくガイダンス音声の出力音量値と非ガイダンス音声の出力音量値との差よりも大きい。具体例には、図２中のグラフにおいて、音量設定値Ｖ１におけるガイダンス音声の出力音量値と非ガイダンス音声の出力音量値との音量差Δ１よりも、音量設定値Ｖ２におけるガイダンス音声の出力音量値と非ガイダンス音声の出力音量値との音量差Δ２のほうが小さい。換言すると、音量設定値が大きくなるにつれて音量差Δは音量差Δ１から音量差Δ２へと小さくなる。反対に、音量差Δは、音量設定値が小さくなるにつれて音量差Δ２から音量差Δ１へと大きくなる。すなわち、音声出力処理部１４は、出力音量値テーブルＴ１を用いて、音量設定値を変更可能な全ての範囲（０レベル以上１００レベル以下）において、音量設定値が大きくなるにつれて、ガイダンス音声の出力音量値と非ガイダンス音声の出力音量値との差分（音量差Δ）を小さくするように設定された音声出力制御を行う。この場合、音声出力処理部１４は、音量設定値の変更に伴い、ガイダンス音声の出力音量値が非ガイダンス音声の出力音量値に対して所定の音量差Δだけ大きくなるように、非ガイダンス音声の出力音量値とガイダンス音声の出力音量値との両方を設定（変更）する制御を行う。これにより、音量設定値の増加（または減少）に伴う非ガイダンス音声の出力音量値の増加量（または減少量）よりも、ガイダンス音声の出力音量値の増加量（または減少量）が抑制されるように構成されている。
【００４５】
なお、音声出力処理部１４は、音量設定値を変更可能な全ての範囲（０レベル以上１００レベル以下）において、０レベルよりも大きい出力音量値でガイダンス音声を出力する制御を行う。また、音声出力処理部１４は、音量設定値の変更に伴い、非ガイダンス音声の出力音量値とガイダンス音声の出力音量値との両方を設定する制御を行う。また、音量設定値を変更可能な全ての範囲（０レベル以上１００レベル以下）において、ガイダンス音声は、音量設定値の変化に対して線形性の変化をする（図２中のグラフが直線的に変化する）ように構成されている。第１実施形態における表示装置１００は、上記のように構成されている。
【００４６】
（第１実施形態の効果）
第１実施形態では、以下のような効果を得ることができる。
【００４７】
第１実施形態では、上記のように、ガイダンス情報を有するガイダンス音声の出力音量値（出力レベル）を映像に関連する音声情報を有する非ガイダンス音声の出力音量値（出力レベル）以上の値とし、かつ、非ガイダンス音声の出力音量値（出力レベル）が０レベル（消音状態）のときガイダンス音声の出力レベルを０よりも大きい値にする音声出力処理部１４を設ける。これにより、表示装置１００の音量設定値が０レベルに設定されている場合でも、０レベルよりも大きい出力音量値のガイダンス音声を出力することができる。また、非ガイダンス音声の出力音量値が０レベル以外の値の場合にもガイダンス音声の出力音量値が非ガイダンス音声の出力音量値以上の値となるので、非ガイダンス音声に加えてガイダンス音声を出力することができる。これらの結果、表示装置１００の音量設定値が０レベル（消音状態）に設定されている場合でも、ガイダンス音声により、視覚に障害があるユーザにガイダンス音声の内容を確実に通知することができる。
【００４８】
また、第１実施形態では、音量設定値の所定の変化（Ｖ１からＶ２への変化など）に基づくガイダンス音声の出力音量値の変化量を、非ガイダンス音声の出力音量値の変化量以下の値になるように構成する。これにより、音量設定値の増加（または減少）に伴う非ガイダンス音声の出力音量値の増加量（または減少量）よりも、ガイダンス音声の出力音量値の増加量（または減少量）を抑制することができるので、音量設定値の増加（または減少）に伴うガイダンス音声の急激な出力音量値の変化が回避される分、視覚に障害があるユーザは、映像に関連する音声（非ガイダンス音声）を聞き取ることに支障のない程度で、ガイダンス音声を同時に聞き取ることができる。
【００４９】
また、第１実施形態では、音量設定値（図２のグラフ横軸）の変化に対するガイダンス音声の出力音量値の変化率ａ（音量設定値Ｖ１およびＶ２間の実線で示されたグラフ（波形）の傾きａ）と、非ガイダンス音声の出力音量値の変化率ｂ（音量設定値Ｖ１およびＶ２間の破線で示されたグラフ（波形）の傾きｂ）とは、ａ＜ｂの関係を有する。これにより、傾きａ＜傾きｂであることによって、音量設定値の増加（または減少）に伴う非ガイダンス音声の出力音量値の増加量（または減少量）よりも、ガイダンス音声の出力音量値の増加量（または減少量）を確実に抑制することができる。したがって、音量設定値の増加（または減少）に関係なく、視覚に障害があるユーザは、映像に関連する音声（非ガイダンス音声）を聞き取ることに支障のない程度で、ガイダンス音声を同時に聞き取ることができる。
【００５０】
また、第１実施形態では、音量設定値Ｖ１に基づくガイダンス音声の出力音量値と非ガイダンス音声の出力音量値との音量差Δ１を、この音量設定値Ｖ１よりも大きい音量設定値Ｖ２に基づくガイダンス音声の出力音量値と非ガイダンス音声の出力音量値との音量差Δ２よりも大きく構成する。これにより、音量設定値が大きくなるのに伴って、ガイダンス音声の出力音量値と非ガイダンス音声の出力音量値との音量差Δが、音量差Δ１から音量差Δ２へと縮小されるので、ガイダンス音声の出力音量値が大きくなり過ぎるのを抑制するとともに、視覚に障害があるユーザに対して適切な出力音量値でガイダンス音声を出力することができる。
【００５１】
また、第１実施形態では、設定部５１の音量設定に対応した音量設定値に対して、ガイダンス音声および非ガイダンス音声の出力音量値（出力レベル）がそれぞれ対応付けられた出力音量値テーブルＴ１を備える。そして、出力音量値テーブルＴ１に基づきガイダンス音声および非ガイダンス音声の出力音量値（出力レベル）を制御するように音声出力処理部１４を構成する。これにより、表示装置１００における非ガイダンス音声の出力音量値が０レベルに設定されている場合でも、ガイダンス音声の出力音量値を０レベルにしないようにする演算を毎回行う場合と異なり、出力音量値テーブルＴ１を用いて、迅速にガイダンス音声の出力音量値を０レベルにしないようにすることができるとともに、音声出力処理部１４の演算による負荷が増大するのを抑制することができる。また、表示装置１００における非ガイダンス音声の出力音量値が０レベル以外に設定されている場合でも、出力音量値テーブルＴ１を用いて、迅速にガイダンス音声の出力音量値を非ガイダンス音声の出力音量値以上に保持することができる。
【００５２】
また、第１実施形態では、音量設定値の変更に伴い、ガイダンス音声と非ガイダンス音声との両方の出力音量値（出力レベル）を変更する制御を行うように音声出力処理部１４を構成する。これにより、音量設定値に併せて、ガイダンス音声および非ガイダンス音声の両方を使用状況に適した出力音量値にそれぞれ変更することができる。
【００５３】
また、第１実施形態では、ガイダンス音声は、表示装置１００に対して行われた操作に関する情報、および、表示装置１００の状態に関する情報を通知する音声である。これにより、視覚に障害があるユーザに、表示装置１００に対して行われる操作に関する情報、および、表示装置１００の状態に関する情報を通知することができる。
【００５４】
また、第１実施形態では、非ガイダンス音声は、表示部２に表示される映像に関連する音声である。これにより、表示部２に表示される映像に関連する音声が０レベル（消音状態）である設定の場合でも、ガイダンス音声を出力することができる。
【００５５】
また、第１実施形態では、放送信号を受信する受信部６を設け、非ガイダンス音声は、受信部６からの音声に対応している。これにより、放送信号に含まれる音声（非ガイダンス音声）を出力する音量設定値が０レベル（消音状態）に設定されている場合でも、ガイダンス音声をユーザが視聴可能に容易に出力することができる。
【００５６】
また、第１実施形態では、コンテンツ再生装置に接続する接続部７を設け、非ガイダンス音声は、接続部７から入力された音声に対応している。これにより、コンテンツ再生装置からコンテンツに含まれる音声（非ガイダンス音声）を出力する音量設定値が０レベル（消音状態）に設定されている場合でも、ガイダンス音声をユーザが視聴可能に容易に出力することができる。
【００５７】
また、第１実施形態では、音量設定値の変更に伴い、ガイダンス音声の出力音量値が非ガイダンス音声の出力音量値に対して所定の音量差Δ分だけ大きくなるように、非ガイダンス音声の出力音量値とガイダンス音声の出力音量値との両方を設定する制御を行うように音声出力処理部１４を構成する。これにより、音量設定値を変更した場合でも、非ガイダンス音声の出力音量値に対して所定の音量分大きい出力音量値で、ガイダンス音声を出力することができるので、容易にガイダンス音声を聞き取ることができる。
【００５８】
また、第１実施形態では、出力音量値テーブルＴ１を記憶する記憶領域（記憶部）１４０を設ける。これにより、記憶領域（記憶部）１４０に記憶された出力音量値テーブルＴ１を用いて、迅速にガイダンス音声の出力音量値を０レベル（消音状態）にしない制御を行うことができる。
【００５９】
［第２実施形態］
次に、図１および図３を参照して、第２実施形態による表示装置２００の構成について説明する。第２実施形態では、音量設定値を変更可能な全範囲において、音量設定値が大きくなるにつれて、ガイダンス音声の出力音量値と非ガイダンス音声の出力音量値との音量差Δを小さくする第１実施形態と異なり、音量設定値を変更可能な一部の範囲において、音量設定値が大きくなるにつれて、ガイダンス音声の出力音量値と非ガイダンス音声の出力音量値との音量差Δを小さくする構成について説明する。なお、出力音量値テーブルが異なる点を除いて、第２実施形態の装置構成は、上記第１実施形態の装置構成と実質的に同一である。また、出力音量値テーブルＴ２は、特許請求の範囲の「テーブル」の一例である。
【００６０】
図１に示すように、音声出力処理部２１４の記憶領域（記憶部）２４０には、出力音量値テーブルＴ２が記憶されている。第２実施形態では、音声出力処理部２１４は、出力音量値テーブルＴ２に基づいて、０レベルよりも大きい出力音量値でガイダンス音声を出力する制御を行うように構成されている。つまり、図３に示すように、音声出力処理部２１４は、各音量設定値に対して、ガイダンス音声の出力音量値が０レベルにならないように設定された出力音量値テーブルＴ２を用いた音声出力制御を行うように構成されている。なお、音声出力処理部２１４は、特許請求の範囲の「制御部」の一例である。
【００６１】
また、音声出力処理部２１４は、音量設定値に対する非ガイダンス音声の出力音量値の変化率よりも小さい変化率になるようにガイダンス音声の出力音量値を設定する制御を行うように構成されている。また、音声出力処理部２１４は、音量設定値の変更に伴い、ガイダンス音声の出力音量値が非ガイダンス音声の出力音量値に対して一定の音量差Δｃだけ大きくなるように、非ガイダンス音声の出力音量値とガイダンス音声の出力音量値との両方を設定する制御を行うように構成されている。詳細には、音声出力処理部２１４は、音量設定値の変更に伴い、ガイダンス音声の出力音量値を最大にする音量設定値（たとえば音量設定値Ｖｃ）よりも小さい音量設定値において、ガイダンス音声の出力音量値が非ガイダンス音声の出力音量値に対して一定の音量差Δｃだけ大きくなるように、非ガイダンス音声の出力音量値とガイダンス音声の出力音量値との両方を設定する制御を行うように構成されている。換言すると、０レベルからこの０レベルよりも大きい音量設定値Ｖｃの範囲において、音量設定値Ｖ１に基づくガイダンス音声の出力音量値と非ガイダンス音声の出力音量値との音量差Δ１と、この音量設定値Ｖ１とは異なる音量設定値Ｖ２に基づくガイダンス音声の出力音量値と非ガイダンス音声の出力音量値との音量差Δ２とは、略等しい（Δ１≒Δ２≒Δｃである）。そして、０レベルから音量設定値Ｖｃの範囲においては、音量設定値Ｖ１（または音量設定値Ｖ２）におけるガイダンス音声の出力音量値と、非ガイダンス音声の出力音量値とは、互いに異なる。なお、０レベルおよび音量設定値Ｖｃは、それぞれ、特許請求の範囲の「第１の音量設定値」および「第２の音量設定値」の一例である。
【００６２】
また、音声出力処理部２１４は、ガイダンス音声の出力音量値を最大にする音量設定値（音量設定値Ｖｃ）以上の音量設定値において、ガイダンス音声の出力音量値を一定（１００レベル）にする制御を行うように構成されている。すなわち、音量設定値Ｖｃよりも大きい音量設定値の範囲においては、ガイダンス音声の出力音量値は、所定の範囲内であるように設定されている。
【００６３】
以上のように、第２実施形態では、ガイダンス音声の出力音量値は、０レベルから音量設定値Ｖｃまでの音量設定値の範囲では非ガイダンス音声の出力音量値と同様の一定の変化率（グラフの傾き）で変化し、音量設定値Ｖｃ以降の音量設定値の範囲では一定（１００レベル）となる。なお、第２実施形態のその他の構成は、上記第１実施形態と同様である。
【００６４】
（第２実施形態の効果）
第２実施形態では、以下のような効果を得ることができる。
【００６５】
第２実施形態では、非ガイダンス音声の出力音量値が０レベル（消音状態）のときガイダンス音声の出力音量値を０レベルよりも大きくし、非ガイダンス音声の出力音量値が０レベル以外のときガイダンス音声の出力音量値を非ガイダンス音声の出力音量値以上とする音声出力処理部２１４を設ける。これにより、上記第１実施形態と同様、表示装置２００の音量設定値が０レベル（消音状態）に設定されている場合でも、０レベルよりも大きい出力音量値のガイダンス音声により、視覚に障害があるユーザにガイダンスの内容を確実に通知することができる。
【００６６】
また、第２実施形態では、０レベルから音量設定値Ｖｃの範囲において、音量設定値Ｖ１に基づくガイダンス音声の出力音量値と非ガイダンス音声の出力音量値との音量差Δ１と、この音量設定値Ｖ１とは異なる音量設定値Ｖ２に基づくガイダンス音声の出力音量値と非ガイダンス音声の出力音量値との音量差Δ２とを、略等しい値になるように構成する。これにより、音量設定値を変更した場合でも、非ガイダンス音声の出力音量値に対して所定の音量分（一定値の音量）だけ大きい出力音量値で、ガイダンス音声を出力することができる。したがって、視覚に障害があるユーザは、音量設定値を変更した場合でも、容易にガイダンス音声を聞き取ることができる。
【００６７】
また、第２実施形態では、ガイダンス音声の出力音量値を所定の範囲内（一定の１００レベル）にするように構成する。これにより、ガイダンス音声の出力音量値を音量設定値Ｖｃよりも大きい音量設定値にした場合であっても、ガイダンス音声の出力音量値が最大の値または最大近傍の値（一定の１００レベル）に維持されるので、ガイダンス音声の出力音量値を最大にする音量設定値以上の音量設定値の範囲においては、ガイダンス音声が障害となって非ガイダンス音声が聞きづらくなるのを回避することができる。
【００６８】
また、第２実施形態では、０レベルから音量設定値Ｖｃの範囲において、音量設定値Ｖ１（音量設定値Ｖ２）におけるガイダンス音声の出力音量値と、非ガイダンス音声の出力音量値とを、互いに異ならせる。これにより、音量設定値を変更した場合でも、非ガイダンス音声の出力音量値に対して所定の出力音量値分（音量差Δｃ）だけ大きい出力音量値で、ガイダンス音声を出力することができるので、視覚に障害があるユーザは、容易にガイダンス音声を聞き取ることができる。
【００６９】
また、第２実施形態では、音量設定値の変更に伴い、ガイダンス音声の出力音量値が非ガイダンス音声の出力音量値に対して音量差Δｃだけ大きくなるように、非ガイダンス音声の出力音量値とガイダンス音声の出力音量値との両方を設定する制御を行うように音声出力処理部２１４を構成する。これにより、音量設定値を変更した場合でも、非ガイダンス音声の出力音量値に対して所定の音量分だけ大きい出力音量値で、ガイダンス音声を出力することができる。なお、第２実施形態のその他の効果は、上記第１実施形態と同様である。
【００７０】
［第３実施形態］
次に、図１および図４を参照して、第３実施形態による表示装置３００の構成について説明する。第３実施形態では、音量設定値が大きくされた場合、音量設定値を変更可能な全範囲においてガイダンス音声の出力音量値を大きくする第１実施形態と異なり、音量設定値が大きくされた場合、音量設定値を変更可能な一部の範囲においてガイダンス音声の出力音量値を大きくする構成について説明する。なお、出力音量値テーブルが異なる点を除いて、第３実施形態の装置構成は、上記第１実施形態の装置構成と実質的に同一である。
【００７１】
図１に示すように、音声出力処理部３１４の記憶領域（記憶部）３４０には、出力音量値テーブルＴ３が記憶されている。第３実施形態では、音声出力処理部３１４は、出力音量値テーブルＴ３に基づいて、０レベルよりも大きい出力音量値でガイダンス音声を出力する制御を行うように構成されている。つまり、図４に示すように、音声出力処理部３１４は、各音量設定値に対して、ガイダンス音声の出力音量値が０レベルにならないように設定された出力音量値テーブルＴ３を用いた音声出力制御を行うように構成されている。なお、音声出力処理部３１４は、特許請求の範囲の「制御部」の一例である。また、出力音量値テーブルＴ３は、特許請求の範囲の「テーブル」の一例である。
【００７２】
第３実施形態では、音声出力処理部３１４は、音量設定値の設定可能な範囲のうち、音量設定値が０レベルから最大音量設定値よりも小さくかつ０レベルよりも大きい値（音量設定値Ｖｄ）までの範囲では、ガイダンス音声の出力音量値を一定（所定の範囲内）にする制御を行うように構成されている。また、音声出力処理部３１４は、音量設定値の設定可能な範囲のうち、音量設定値が０レベルから最大音量設定値（１００レベル）の半分未満（５０レベル未満）の範囲では、ガイダンス音声の出力音量値を一定（所定の範囲内）にする制御を行い、最大音量設定値の半分以上（５０レベル以上）の値から最大音量設定値以（１００レベル以下）の範囲では、ガイダンス音声の出力音量値を、非ガイダンス音声の出力音量値と略一致させる制御を行うように構成されている。なお、音量設定値Ｖｄおよび最大音量設定値（１００レベル）は、それぞれ、特許請求の範囲の「第１の音量設定値」および「第２の音量設定値」の一例である。
【００７３】
詳細には、音声出力処理部３１４は、音量設定値Ｖｄよりも小さい設定音量値では、音量設定値の変更に伴い、ガイダンス音声の出力音量値が非ガイダンス音声の出力音量値に対して所定の音量差Δｄだけ大きくなるように、非ガイダンス音声の出力音量値とガイダンス音声の出力音量値との両方を設定する制御を行う。また、音声出力処理部３１４は、音量設定値Ｖｄよりも小さい設定音量値では、ガイダンス音声の出力音量値を一定にする制御を行う。また、一定のガイダンス音声の出力音量値は、音量設定値Ｖｄにおける非ガイダンス音声の出力音量値に略一致させている。なお、第３実施形態では、音量設定値Ｖｄは、「５０レベル」（最大音量設定値の中間点（半分の値））であるが、他の値であってもよい。すなわち、この音量設定値Ｖｄは、ユーザにより所望の値に変更されてもよい。
【００７４】
また、音声出力処理部３１４は、音量設定値Ｖｄから音量設定値Ｖｄよりも大きい最大音量設定値（１００レベル）の範囲において、音量設定値Ｖｄにおけるガイダンス音声の出力音量値と非ガイダンス音声の出力音量値とを、略等しい値にする制御を行う。この場合、音声出力処理部３１４は、音量設定値Ｖｄ以上の設定音量値では、音量設定値の変更に伴い、音量設定値に対するガイダンス音声の出力音量値の変化率（実線のグラフ（波形）の傾き）が、音量設定値に対する非ガイダンス音声の出力音量値の変化率（破線のグラフ（波形）の傾き）に略等しい値になるような音声出力処理を行う。
【００７５】
以上のように、第３実施形態では、ガイダンス音声の出力音量値は、音量設定値Ｖｄまでの音量設定値の範囲において一定（実線のグラフの傾き≒０）であり、音量設定値Ｖｃ以降の音量設定値の範囲においては、非ガイダンス音声と略等しい一定の変化率で変化する。なお、第３実施形態のその他の構成は、上記第１実施形態と同様である。
【００７６】
（第３実施形態の効果）
第３実施形態では、以下のような効果を得ることができる。
【００７７】
第３実施形態では、非ガイダンス音声の出力音量値が０レベル（消音状態）のときガイダンス音声の出力音量値を０レベルよりも大きくし、非ガイダンス音声の出力音量値が０レベル以外のときガイダンス音声の出力音量値を非ガイダンス音声の出力音量値以上とする音声出力処理部３１４を設ける。これにより、上記第１実施形態と同様、表示装置３００の音量設定値が０レベル（消音状態）に設定されている場合でも、０レベルよりも大きい出力音量値のガイダンス音声により、視覚に障害があるユーザにガイダンスの内容を確実に通知することができる。
【００７８】
また、第３実施形態では、音量設定値Ｖｄ以下の音量設定値の範囲において、ガイダンス音声の出力音量値を所定の範囲内（一定値）にするように構成する。これにより、音量設定値が小さくなるにしたがってガイダンス音声の出力音量値が同じように小さくされてしまう場合と異なり、音量設定値が小さくされても、視覚に障害があるユーザは出力レベルが所定の範囲内（一定値）に維持されたガイダンス音声を適切に聞き取ることができる。
【００７９】
また、第３実施形態では、音量設定値Ｖｄを音量設定可能な範囲（０レベル以上１００レベル以下）の中間点（５０レベル）における音量設定値として構成する。これにより、音量設定可能な範囲（０レベル以上１００レベル以下）のうちの中間点（５０レベル）以下の範囲において、音量設定値が小さくされてもガイダンス音声の出力音量値を所定の範囲内（一定値）に維持することができるので、視覚に障害があるユーザは出力音量値が所定の範囲内（一定値）に維持されたガイダンス音声を容易に聞き取ることができる。また、中間点よりも音量設定値が大きい範囲（５０レベルよりも大きく１００レベル以下）では、ユーザは、ガイダンス音声および映像に関連する音声を示す非ガイダンス音声の両方を適切に聞き取ることができる。
【００８０】
また、第３実施形態では、音量設定値Ｖｄから音最大音量設定値（１００レベル）の範囲において、音量設定値Ｖｄにおけるガイダンス音声の出力音量値と非ガイダンス音声の出力音量値とを略等しい値になるように構成する。これにより、音量設定値Ｖｄから最大音量設定値（１００レベル）以下の範囲において、ガイダンス音声号の出力レベルが大きくなり過ぎるのを抑制しつつ、適切な出力音量値でこのガイダンス音声を出力することができる。なお、第３実施形態のその他の効果は、上記第１実施形態と同様である。
【００８１】
［第４実施形態］
次に、図１および図５を参照して、第４実施形態による表示装置４００の構成について説明する。第４実施形態では、音量設定値を変更可能な全範囲において、音量設定値が大きくされた場合、ガイダンス音声の出力音量値を大きくする第１実施形態と異なり、音量設定値が大きくされても、０レベルよりも大きい出力音量値Ｗ（一定値）でガイダンス音声を出力する構成について説明する。なお、出力音量値テーブルが異なる点を除いて、第４実施形態の装置構成は、上記第１実施形態の装置構成と実質的に同一である。
【００８２】
図１に示すように、音声出力処理部４１４の記憶領域（記憶部）４４０には、出力音量値テーブルＴ４が記憶されている。第４実施形態では、音声出力処理部４１４は、出力音量値テーブルＴ４に基づいて、０レベルよりも大きい出力音量値でガイダンス音声を出力する制御を行うように構成されている。つまり、図５に示すように、音声出力処理部４１４は、各音量設定値に対して、ガイダンス音声の出力音量値が０レベルにならないように設定された出力音量値テーブルＴ４を用いた音声出力制御を行う。なお、音声出力処理部４１４は、特許請求の範囲の「制御部」の一例である。また、出力音量値テーブルＴ４は、特許請求の範囲の「テーブル」の一例である。
【００８３】
また、第４実施形態では、音声出力処理部４１４は、音量設定値を変更可能な全範囲において、音量設定値が大きくされた場合、一定の出力音量値Ｗ（たとえば、「７０レベル」）でガイダンス音声を出力する制御を行う。この場合、リモコン５０の設定部５１（図１参照）の音量設定可能な範囲は、ガイダンス音声の出力音量値Ｗが非ガイダンス音声の出力音量値以上となる範囲に設定されている。すなわち、０レベル以上１００レベル以下の範囲において、常に、ガイダンス音声の出力音量値Ｗが非ガイダンス音声の出力音量値以上となるように音声出力制御が行われる。また、音声出力処理部４１４は、設定音量値が１００レベル（最大値）となった際に、非ガイダンス音声の出力音量値（破線で示したグラフ）が、ガイダンス音声の出力音量値Ｗ（実線で示したグラフ）と略等しくなるように音声出力制御を行う。
【００８４】
以上のように、第４実施形態では、ガイダンス音声の出力音量値が、音量設定値を変更可能な全範囲において、一定の出力音量値Ｗ（固定値）になるよう制御が行われる。なお、第４実施形態のその他の構成は、上記第１実施形態と同様である。
【００８５】
（第４実施形態の効果）
第４実施形態では、以下のような効果を得ることができる。
【００８６】
第４実施形態では、非ガイダンス音声の出力音量値が０レベル（消音状態）のときガイダンス音声の出力音量値を０レベルよりも大きくし、非ガイダンス音声の出力音量値が０レベル以外のときガイダンス音声の出力音量値を非ガイダンス音声の出力音量値以上とする音声出力処理部４１４を設ける。これにより、上記第１実施形態と同様、表示装置４００の音量設定値が０レベル（消音状態）に設定されている場合でも、０レベルよりも大きい出力音量値のガイダンス音声により、視覚に障害があるユーザにガイダンスの内容を確実に通知することができる。
【００８７】
また、第４実施形態では、音量設定値の設定可能な全範囲において、ガイダンス音声の出力音量値Ｗを所定の範囲内（たとえば一定値の「７０レベル」など）にするように構成する。これにより、ガイダンス音声の出力音量値Ｗを適切な値に設定しておけば、どのような音量設定値においても、十分に聞き取ることが可能な均一の音量で、視覚に障害があるユーザはガイダンス音声を聞き取ることができる。
【００８８】
また、第４実施形態では、リモコン５０の設定部５１の音量設定可能な範囲を、ガイダンス音声の出力音量値Ｗが非ガイダンス音声の出力音量値以上となる範囲に設定可能に構成する。これにより、設定部５１の音量設定可能な範囲内におけるどのような音量設定値にされていても、ガイダンス音声の出力音量値Ｗを非ガイダンス音声の出力音量値以上に設定することができるので、視覚に障害があるユーザは、非ガイダンス音声が出力されている間中、ガイダンス音声を確実に聞き取ることができる。なお、第４実施形態のその他の効果は、上記第１実施形態と同様である。
【００８９】
［第４実施形態の第１変形例］
次に、図１および図６を参照して、第４実施形態の第１変形例による表示装置４０１の構成について説明する。第４実施形態の第１変形例では、ガイダンス音声の出力音量値Ｗが一定値（７０レベル）に固定的であった第４実施形態と異なり、この出力音量値Ｗを変更可能に構成した例について説明する。
【００９０】
表示装置４０１における音声出力処理部４１４の記憶領域４４０（図１参照）には、出力音量値テーブルＴ４ａが記憶されている。そして、音声出力処理部４１４は、出力音量値テーブルＴ４ａに基づいて、０レベルよりも大きい出力音量値Ｗでガイダンス音声を出力する制御を行う。この場合、図６に示すように、出力音量値テーブルＴ４ａに書き込まれる出力音量値Ｗは、ユーザにより所望の値に変更可能に構成されている。たとえば、ガイダンス音声の出力音量値Ｗを「３０レベル（二点鎖線のグラフ）」に設定した場合には、リモコン５０の設定部５１（図１参照）の音量設定可能な範囲は、非ガイダンス音声の出力音量値（破線で示したグラフ（固定的な特性））との交点Ｐ１に対応する音量設定値Ｖｅ１までの範囲（０レベル以上Ｖｅ１レベル以下）に変更される。同様に、出力音量値Ｗを「５０レベル」、「７０レベル」、「９０レベル」に設定した場合には、設定部５１の音量設定可能な範囲は、０レベル以上、非ガイダンス音声の出力音量値との交点Ｐ２、Ｐ３およびＰ４に対応する音量設定値Ｖｅ２、Ｖｅ３、１００レベル以下の範囲内に変更される。このように、出力音量値テーブルＴ４ａには、ガイダンス音声の出力音量値Ｗの変更に応じて、非ガイダンス音声の出力音量値がガイダンス音声の出力音量値Ｗ以上とならない範囲で、音量設定（図６中のグラフの横軸）が０レベル以上１００レベル以下の間のいずれかの範囲に規制されるように、その設定内容が書き換えられる。なお、出力音量値テーブルＴ４ａは、特許請求の範囲の「テーブル」の一例である。なお、第４実施形態の第１変形例のその他の構成は、上記第４実施形態と同様である。
【００９１】
（第４実施形態の第１変形例の効果）
第４実施形態の第１変形例では、ガイダンス音声の出力音量値Ｗの変更に応じて、非ガイダンス音声の出力音量値がガイダンス音声の出力音量値Ｗ以上とならない範囲で、表示装置４０１に対する音量設定値（Ｖｅ）を０レベル以上１００レベル以下の間のいずれかの範囲に調整可能に構成する。これにより、ガイダンス音声の大きさ（出力音量値Ｗ）に関係なく非ガイダンス音声の出力音量値をガイダンス音声の出力音量値Ｗ以下に規制することができるので、視覚に障害があるユーザは、ガイダンス音声をどのような音量であっても容易に聞き取ることができる。なお、第４実施形態の第１変形例のその他の効果は、上記第１実施形態と同様である。
【００９２】
［第４実施形態の第２変形例］
次に、図１および図７を参照して、第４実施形態の第２変形例による表示装置４０２の構成について説明する。第４実施形態の第２変形例では、ガイダンス音声の出力音量値Ｗの設定値に関係なく非ガイダンス音声の出力音量値の特性が固定的であった第４実施形態の第１変形例と異なり、ガイダンス音声の出力音量値Ｗの設定値に応じて非ガイダンス音声の出力音量値の特性を変更可能に構成した例について説明する。
【００９３】
表示装置４０２における音声出力処理部４１４の記憶領域４４０（図１参照）には、出力音量値テーブルＴ４ｂが記憶されている。そして、音声出力処理部４１４は、出力音量値テーブルＴ４ｂに基づいて、０レベルよりも大きい出力音量値Ｗでガイダンス音声を出力する制御を行う。この場合、図７に示すように、出力音量値テーブルＴ４ｂに書き込まれる出力音量値Ｗは、ユーザにより所望の値に変更可能に構成されている。そして、ガイダンス音声の出力音量値Ｗの設定値（変更値）に応じて、非ガイダンス音声の出力音量値の特性も変更されるように構成されている。
【００９４】
たとえば、ガイダンス音声の出力音量値Ｗを「７０レベル（二点鎖線のグラフ）」に設定している場合には、非ガイダンス音声の出力音量値が特性Ｇ１を有するように出力音量値テーブルＴ４ｂの設定値が決定される。また、出力音量値Ｗを「３０レベル（二点鎖線のグラフ）」または「９０レベル（二点鎖線のグラフ）」に設定した場合には、非ガイダンス音声の出力音量値が特性Ｇ２または特性Ｇ３を有するように出力音量値テーブルＴ４ｂの設定値が書き換えられるように構成されている。なお、ガイダンス音声の出力音量値Ｗがどのような大きさに設定されても、非ガイダンス音声の出力音量値の特性が変更されて、表示装置４０２に対するユーザが行う音量設定の最大値が１００レベルまで許容される。このように、出力音量値テーブルＴ４ｂには、ガイダンス音声の出力音量値Ｗの変更が生じても、これに対応するように非ガイダンス音声の出力音量値の特性（特性Ｇ１〜Ｇ３など）が変更されて、常に、音量設定（図７中のグラフの横軸）の最大値が１００レベルまで許容されるように、その設定内容が書き換えられる。なお、出力音量値テーブルＴ４ｂは、特許請求の範囲の「テーブル」の一例である。なお、第４実施形態の第２変形例のその他の構成は、上記第４実施形態と同様である。
【００９５】
（第４実施形態の第２変形例の効果）
第４実施形態の第２変形例では、ガイダンス音声の出力音量値Ｗの変更に応じて、非ガイダンス音声の出力音量値の特性（特性Ｇ１〜Ｇ３など）を変更して、常に、音量設定の最大値が１００レベルまで許容されるように構成する。これにより、ガイダンス音声の大きさ（出力音量値Ｗ）に関係なく、ユーザは、表示装置４０２に対する音量設定を０レベルから１００レベル（最大設定値）までの間で行うことができる。すなわち、ガイダンス音声の出力音量値Ｗ（一定値）がどのような大きさであっても、ユーザは、最も広い音量設定範囲（０レベル〜１００レベル）を有効に使用して、表示装置４０２に対して違和感なく音量設定の操作を行うことができる。なお、第４実施形態の第２変形例のその他の効果は、上記第１実施形態と同様である。
【００９６】
［第５実施形態］
次に、図１〜図５を参照して、第５実施形態による表示装置５００の構成について説明する。第５実施形態では、音量設定値に対して、非ガイダンス音声の出力音量値およびガイダンス音声の出力音量値がそれぞれ対応付けられた１つの出力音量値テーブルを用いて音声出力処理を行う第１実施形態と異なり、複数の出力音量値テーブルを記憶するとともに、ガイダンス内容に応じ、適切な出力音量値テーブルを用いて音量出力処理を行う構成について説明する。なお、記憶領域５４０に記憶されている出力音量値テーブルの数が異なる点を除いて、第５実施形態の装置構成は、上記第１実施形態の装置構成と実質的に同一である。
【００９７】
第５実施形態では、音声出力処理部５１４の記憶領域（記憶部）５４０（図１参照）には、たとえば、互いに異なる４つの出力音量値テーブルが記憶されている。詳細には、記憶領域（記憶部）５４０には、第１テーブルとしての出力音量値テーブルＴ１（図２参照）と、音量設定値に対し、ガイダンス音声の出力音量値として、出力音量値テーブルＴ１におけるガイダンス音声の出力音量値とは異なる出力音量値が対応付けられた第２テーブルとしての出力音量値テーブルＴ２（図３参照）とが記憶されている。記憶領域（記憶部）５４０には、さらに、出力音量値テーブルＴ１およびＴ２と異なる出力音量値テーブルＴ３（図４参照）と、出力音量値テーブルＴ１〜Ｔ３と異なる出力音量値テーブルＴ４（図５参照）とが記憶されている。
【００９８】
音声出力処理部５１４は、ガイダンスの内容に応じて、出力音量値テーブルＴ１〜Ｔ４を切り替える（いずれか１つの出力音量値テーブルに基づいた制御を行う）ことによって、非ガイダンス音声の出力音量値と、ガイダンス音声の出力音量値とを異ならせる。なお、音声出力処理部５１４は、特許請求の範囲の「制御部」の一例である。
【００９９】
通知しなければ視覚障害のあるユーザの利便性を低下させる通知を行う場合（たとえば、チャンネル変更操作に関する情報をガイダンス音声として出力する場合）には、音声出力処理部５１４は、その時点での設定音量値において、ガイダンス音声を一番大きく出力することができる出力音量値テーブルを出力音量値テーブルＴ１〜Ｔ４から１つ選択し、選択したいずれかの出力音量値テーブルに基づく制御処理を行う。
【０１００】
また、通知しなくても視覚障害のあるユーザの利便性を低下させないような通知（通知がなくても視覚障害のあるユーザが特段、不便にならないような通知）を行う場合には、音声出力処理部５１４は、その時点での設定音量値において、たとえば、ガイダンス音声を２番目に大きく出力することができる出力音量値テーブルを、出力音量値テーブルＴ１〜Ｔ４から１つ選択し、選択した出力音量値テーブルに基づく制御処理を行う。なお、第５実施形態のその他の構成は、上記第１実施形態と同様である。
【０１０１】
（第５実施形態の効果）
第５実施形態では、以下のような効果を得ることができる。
【０１０２】
第５実施形態では、非ガイダンス音声の出力音量値が０レベル（消音状態）のときガイダンス音声の出力音量値を０レベルよりも大きくし、非ガイダンス音声の出力音量値が０レベル以外のときガイダンス音声の出力音量値を非ガイダンス音声の出力音量値以上とする音声出力処理部５１４を設ける。これにより、上記第１実施形態と同様、表示装置５００の音量設定値が０レベル（消音状態）に設定されている場合でも、０レベルよりも大きい出力音量値のガイダンス音声により、視覚に障害があるユーザにガイダンスの内容を確実に通知することができる。
【０１０３】
また、第５実施形態では、ガイダンスの内容に応じて、出力音量値テーブルＴ１〜Ｔ４を切り替えることによって、ガイダンス音声の出力音量値の制御を行うように音声出力処理部５１４を構成する。これにより、出力音量値テーブルＴ１〜Ｔ４を適宜切り替えることによって、ガイダンス音声の出力音量値を、ガイダンス音声の内容に応じてより適した出力音量値にすることができる。たとえば、通知しなければ視覚障害のあるユーザの利便性を低下させるような通知を行う場合（チャンネル変更操作に関する情報をガイダンス音声として出力する場合）にも、確実にガイダンス音声を通知することができる。なお、第５実施形態のその他の効果は、上記第１実施形態と同様である。
【０１０４】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【０１０５】
たとえば、上記第１〜５実施形態では、表示装置１００〜５００がテレビジョン装置である例を示したが、本発明はこれに限らない。表示装置１００〜５００は、テレビジョン装置以外の、たとえば、タブレットや、パーソナルコンピュータであってもよい。
【０１０６】
また、上記第１〜第５実施形態では、出力音量値テーブルＴ１〜Ｔ４を用いた音量出力処理を行う例を示したが、本発明はこれに限られない。本発明では、出力音量値テーブルを設けることなく、音量出力処理を行ってもよい。
【０１０７】
また、上記第１〜第５実施形態では、リモコン５０の設定部５１により、表示装置１００〜５００に対して音量設定値の変更操作を行う例を示したが、本発明はこれに限られない。本発明では、表示装置１００〜５００の本体（筺体）に設けられた設定部を介して、音量設定値の変更操作を行うように構成してもよい。
【０１０８】
また、上記第５実施形態では、４つの出力音量値テーブルＴ１〜Ｔ４が記憶されている例を示したが、本発明はこれに限られない。本発明では、４つ以外の複数の出力音量値テーブルが記憶されていてもよい。
【０１０９】
また、上記第１〜第３および第５実施形態では、音量設定値の少なくとも一部の範囲に対応するガイダンス音声の出力音量が線形性の変化をする例を示したが、本発明はこれに限られない。本発明では、ガイダンス音声の出力音量に非線形性の変化をもたせてもよい。
【０１１０】
また、上記第１〜第４実施形態では、各々、出力音量値テーブルＴ１〜Ｔ４を用いた制御を行い、上記第５実施形態では、出力音量値テーブルＴ１〜Ｔ４のいずれかを選択して用いた制御を行う例を示したが、本発明はこれに限られない。本発明では、出力音量値テーブルＴ１〜Ｔ４以外の他の出力音量値テーブルを用いてもよい。たとえば、図８に示す本発明の変形例のように、出力音量値が一定である部分が２箇所あるように設定された出力音量値テーブルを用いてもよい。この場合、音量設定値が所定の音量設定値Ｖｆ１よりも小さい範囲（０レベル以上Ｖｆ１よりも小さい範囲）では一定の出力音量値Ｆ１、音量設定値が所定の音量設定値Ｖｆ２よりも大きい範囲（Ｖｆ２以上最大値以下の範囲）では一定の出力音量値Ｆ２、そして、これらの間の音量設定値（Ｖｆ１以上Ｖｆ２よりも小さい範囲）については、線形的に変化させるように構成していてもよい。
【０１１１】
また、上記第１〜第５実施形態では、出力部４から出力される「出力音量値」を０レベル（０％）〜１００レベル（１００％）の範囲での音量調整量として直接的に捉えており、この大きさを設定するための出力音量値テーブルＴ１〜Ｔ４を設けたが、本発明はこれに限られない。出力音量値テーブルＴ１〜Ｔ４に規定される「出力音量値」の考え方として、たとえば、表示装置１００に外部から入力される「入力音声データ」に対してアンプ３により所定の増幅率Ａを乗じたものに上記した音量調整量（０％〜１００％）をさらに乗じて「出力音量値」が得られるような構成であってもよく、このような構成に対して、本発明の「第２信号」の音量が所定音量よりも小さい第１音量となる音量設定の場合に、「第１音声」の音量をこの第１音量よりも大きくするように表示装置を構成してもよい。また、他の構成例として、出力部４から出力される「出力音量値」は、外部から入力される「入力音声データ」に対して音量調整増幅率Ｂ（−∞〜＋αの範囲の数値）を乗じて得られるような構成に対しても、本発明を適用することも可能である。
【０１１２】
また、上記第１〜第５実施形態では、ガイダンス音声の一例としてリモコン５０を用いて表示装置１００に対して行う操作に関する情報や表示装置１００の状態に関する情報を通知する音声を例示したが、本発明はこれに限られない。本発明における「第１音声」は、スピーカ９からの音量（ボリューム）をユーザが変更する際に「ボリューム＊＊です」や「ボリュームは最大（最小）に設定されています」などの音声であってもよい。また、本発明における「第１音声」は、チャンネル番号をユーザが変更する際に「チャンネル＊＊です」などの音声であってもよい。この場合、チャンネル番号が発音されてもよいし、受信部６を介してＥＰＧから取得された放送局名が発音であってもよい。また、本発明における「第１音声」は、表示装置１００に対する外部入力を切り替える際にたとえば「ＨＤＭＩ＊＊番です（登録商標）」や「ビデオ入力です」や「ＰＣが接続されました」などのような音声内容であってもよい。さらには、ユーザが表示装置１００に対して行う操作の一環として、メニュー操作を行う場合が想定されるが、この場合に「画質設定メニューです」や「音声設定メニューです」など、メニュー画面でカーソルがその時点で選択しているメニュー項目名をユーザに知らせる趣旨の音声内容であってもよい。これらもすべて、ガイダンス音声に含まれる。
【０１１３】
また、上記第１〜第５実施形態では、通常、非ガイダンス音声の出力音量値が０レベルのときガイダンス音声の出力音量値を０レベルよりも大きくし、非ガイダンス音声の出力音量値が０レベル以外のときガイダンス音声の出力音量値を非ガイダンス音声の出力音量値以上としたが、本発明はこれに限られない。たとえば、ユーザ側の都合によって、ガイダンス音声の出力音量値の特性と非ガイダンス音声の出力音量値の特性とが上記とは反対になる（反転させる）ようにユーザが音声出力処理の設定を一時的に変更することが可能に表示装置１００〜５００を構成していてもよい。そして、視覚に障害があるユーザが表示装置１００〜５００を使用する際に、もとの設定状態に戻すことが可能に構成されていればよい。
【符号の説明】
【０１１４】
２  表示部
４  出力部
６  受信部
７、８  接続部
１４、２１４、３１４、４１４、５１４  音声出力処理部（制御部）
５１  設定部
１００、２００、３００、４００、４０１、４０２、５００  表示装置
１４０、２４０、３４０、４４０、５４０  記憶領域（記憶部）
Ｔ１、Ｔ２、Ｔ３、Ｔ４、Ｔ４ａ、Ｔ４ｂ  出力音量値テーブル（テーブル）
【図１】
2017212729.tif 000003
【図２】
2017212729.tif 000004
【図３】
2017212729.tif 000005
【図４】
2017212729.tif 000006
【図５】
2017212729.tif 000007
【図６】
2017212729.tif 000008
【図７】
2017212729.tif 000009
【図８】
2017212729.tif 000010